【事件の表示】
　特願２００５−１８８１４３「パチンコ遊技機の遊技盤」拒絶査定不服審判事件〔平成１９年　１月１８日出願公開、特開２００７−　　６９４９〕について、次のとおり審決する。
【結　論】
　本件審判の請求は、成り立たない。
【理　由】
１．手続の経緯
　本願は、平成１７年６月２８日の出願であって、平成２３年４月１３日付け(４月１９日発送)で拒絶査定され、これに対し、平成２３年７月１４日に拒絶査定不服審判の請求がなされるとともに、手続補正がなされた。
　審判合議体は、平成２３年１０月１２日付けで審査官による前置報告書の内容を添付して審尋を行い、請求人から同年１２月６日に回答書が提出された。
　
２．平成２３年７月１４日付けの手続補正についての補正却下の決定
［補正却下の決定の結論］
　平成２３年７月１４日付けの手続補正を却下する。
　
［理由］
３．補正の内容
　平成２３年７月１４日付けの手続補正書(以下「本件補正」という。)により、特許請求の範囲は、
　「　　【請求項１】
　遊技領域の左右方向中心よりも右側に設けられ、遊技領域内に打ち出された球を遊技盤の下部に誘導する右側面と、
　前記右側面の端部から遊技領域の左右方向中心を超えて左側に行くに従って下降する誘導面と、
　前記誘導面の下端部から左側に降下する傾斜面と、
　前記傾斜面に設けられ、入賞することで賞球が行われる入賞口及び当該入賞口を大当り遊技において所定回数または所定時間開閉する開閉体を有し、遊技領域の上部に位置する可変入賞部品とを備えたパチンコ遊技機の遊技盤であって、
　前記傾斜面の上方において前記遊技領域の左側から右側に行くに従って降下して前記可変入賞部品に球を誘導する誘導面を形成する連釘と、
　前記傾斜面の上方において前記遊技領域の右側から左側に行くに従って降下して前記可変入賞部品に球を誘導する誘導面を形成する連釘と、
　前記傾斜面と最も接近し、前記遊技領域の左側から右側に行くに従って降下する誘導面、及び、右側から左側に行くに従って降下する誘導面よりも下方、かつ、前記傾斜面よりも上方に位置する調整釘が、
　前記遊技領域の左側から右側に行くに従って降下する誘導面と右側から左側に行くに従って降下する誘導面との間に位置し、
　前記遊技領域の左側から右側に行くに従って降下する誘導面及び右側から左側に行くに従って降下する誘導面により誘導される球を前記可変入賞部品の側と反対側とのいずれかに振り分けることを特徴とするパチンコ遊技機の遊技盤。」
　に補正された。
　
　本件補正は、補正前(平成２３年３月７日付け手続補正が、平成２３年４月１３日付けで却下されているため、平成２２年１２月６日付け手続補正による補正)の請求項１における「入賞口」と「開閉体」が、それぞれ「入賞することで賞球が行われる入賞口」と「大当り遊技において所定回数または所定時間開閉する開閉体」と、前者においては入賞口の機能が、後者においては開閉体の動作の態様が限定されたものであるから、平成１８年法律第５５号改正附則第３条第１項によりなお従前の例によるとされる同法による改正前の特許法第１７条の２第４項第２号の特許請求の範囲の減縮を目的とするものに該当する。
　そこで、本件補正後の請求項１に記載された発明(以下、「本願補正発明」という。)が、特許出願の際独立して特許を受けることができるものであるか否か(平成１８年法律第５５号改正附則第３条第１項によりなお従前の例によるとされる同法による改正前の特許法第１７条の２第５項において準用する同法第１２６条第５項の規定に適合するか)について、以下検討する。
　
４．引用文献に記載された事項
　原査定の拒絶の理由において引用文献として引用された特開２００５−５４２号公報(以下、「引用例１」という。)には、図面とともに、以下の事項が記載されている。　
  ア．「【００６２】
　次に、遊技盤３０の構成を図４に基づいて説明する。遊技盤３０には、ルータ加工が施されることによって前後方向に貫通する大小複数の開口部が形成されている。各開口部には一般入賞口３１、可変入賞装置３２、作動口３３、スルーゲート３４及び可変表示ユニット３５等がそれぞれ設けられている。実際には、一般入賞口３１、可変入賞装置３２、作動口３３、スルーゲート３４及び可変表示ユニット３５は木ねじ等により遊技盤表面に取り付けられている。本実施の形態では、可変表示ユニット３５が遊技盤３０の略中央に配置され、その下方に作動口３３が配置され、さらにその下方に可変入賞装置３２が配置されている。また、可変表示ユニット３５の左側にスルーゲート３４が配置され、遊技盤３０の下部両側に一般入賞口３１がそれぞれ複数配置されている。作動口３３には、所定の条件下で作動状態（開放状態）となる電動役物が付随的に設けられている。前記一般入賞口３１、可変入賞装置３２及び作動口３３に遊技球が入ると、それが後述する検出スイッチにより検出され、その検出結果に基づいて上皿２３（場合によっては下皿１６）に対し所定数の賞品球が払い出される。その他に、遊技盤３０の最下部にはアウト口３６が設けられており、各種入賞口等に入らなかった遊技球はアウト口３６を通って図示しない球排出路の方へと案内されるようになっている。アウト口３６は、遊技盤３０の下端略中央を逆Ｕ字状に切り欠いて形成されている。そのため、アウト口を穴状に形成していた従来構成に比べ、アウト口形成が容易となる（但し、図４では手前側にレールユニット５０が重ねて設けられているため、アウト口３６が閉じた状態で示されている）。また、遊技盤３０には、遊技球の落下方向を適宜分散、調整等するために多数の釘が植設されていると共に、風車３７，装飾ランプ５５０（役物，ランプ等）が配設されている。装飾ランプ５５０は、遊技領域左右部において中央からやや下寄りの位置にそれぞれ設けられている。」
　
  イ．「【００６６】
　センターフレーム４３は、フレーム部５５１と取付板部５５２とを主要な構成部として形成されている。センターフレーム４３は、ＡＢＳ樹脂により形成されている。フレーム部５５１の左側部には、第１図柄表示装置４１に対応した保留ランプ４４が上下に並んで設けられている。遊技球が作動口３３を通過した回数は最大４回まで保留され、保留ランプ４４の点灯によってその保留個数が表示されるようになっている。なお、保留ランプ４４は、第１図柄表示装置４１の一部で変動表示される構成等であっても良い。フレーム部５５１の上側部中央には、スルーゲート３４の通過をトリガとして第２図柄（普通図柄）を変動表示する第２図柄表示装置４２が設けられている。フレーム部５５１の右側部には、第２図柄表示装置４２に対応した保留ランプ４６が上下に並んで設けられている。遊技球がスルーゲート３４を通過した回数は最大４回まで保留され、保留ランプ４６の点灯によってその保留個数が表示されるようになっている。なお、保留ランプ４６は、前記保留ランプ４４と同様に、第１図柄表示装置４１の一部で変動表示される構成等であっても良い。
      【００６７】
　フレーム部５５１の上側部は、庇状に前方へ突出するように形成されるとともに、上面が左右方向にそれぞれ下り傾斜となるように形成されている。その上面の中央からやや左寄りの位置には、ワープ球導入口５５４が設けられている。フレーム部５５１下部側の上面はステージ５５５となっており、ステージ５５５上において、遊技者は遊技球の挙動を視認できるようになっている。保留ランプ４４裏側には、前記ワープ球導入口５５４及びステージ５５５間を連通するワープ通路５５６が形成されている。従って、ワープ球導入口５５４に至った遊技球は、ワープ通路５５６を通ってステージ５５５上へと案内される。ステージ５５５は連続的に高さが異なっており、そのほぼ中央部は凸部５５７となっており、その左右側は凹部５５８となっている。凹部５５８は前側ほど低い傾斜面となっており、凹部５５８に至った遊技球は前方へと案内され易くなっている。一方、凸部５５７は、後側ほど低い傾斜面となっており、凸部５５７に至った遊技球は奥側へと案内され易くなっている。凸部５５７の奥側には、遊技球が通過可能な開口部５５９が設けられている。凸部５５７下方には、遊技球を前方へ案内するための球放出口５６０が設けられている。開口部５５９及び球放出口５６０間は図示しない作動口誘導通路により連通されており、開口部５５９に至った遊技球は、その作動口誘導通路を通って球放出口５６０へと案内される。ここで、球放出口５６０の直下に作動口３３が配設されているので、ステージ５５５から開口部５５９に入った遊技球が作動口３３に入り易くなっている。」
　
  ウ．「【００７１】
　可変入賞装置３２は、通常は遊技球が入賞できない又は入賞し難い閉状態になっており、特別遊技状態（以下、大当たりという）の際に遊技球が入賞しやすい所定の開放状態に切り換えられるようになっている。より詳しくは、作動口３３に遊技球が入賞すると第１図柄表示装置４１で第１図柄が変動表示され、その停止後の確定図柄が予め設定した特定の図柄の組合せとなった場合に大当たりが発生する。そして、可変入賞装置３２が所定の開放状態となり、遊技球が入賞し易い状態になるよう構成されている。可変入賞装置３２の開放態様としては、所定時間（例えば３０秒間）の経過又は所定個数（例えば１０個）の入賞を１ラウンドとして、可変入賞装置３２内の継続入賞口への入賞を条件として次ラウンドへの移行条件成立とし、複数ラウンド（例えば１５ラウンド）を上限として可変入賞装置３２が繰り返し開放されるものが一般的である。」
　
  エ．「【００８６】
　センターフレーム４３の取付板部５５２には、右側上方に延びるようにして拡張板部５５３が形成されている。すなわち、第１図柄表示装置４１が遊技領域の略中央に取り付けられた状態で、拡張板部５５３がレールユニット５０から少しだけ離れた位置まで延びるように形成されている。それ故、拡張板部５５３は広大な領域を有している。図示しないが、この領域上ではキャラクタ等をかたどった飾り部材を設けて装飾効果を高めたり、第１図柄表示装置４１と連動する作動部材を設けてパチンコ機１０の演出効果を高めたりしても良い。
      【００８７】
　遊技領域上部のやや右寄りの位置から、フレーム部５５１の上面からやや左寄りの位置にかけて、拡張板部５５３の左辺が配置されており、その左辺の上端部から略遊技球幅下がった位置から、同左辺の下端部にかけて球止め用リブ５６２が設けられている。図８（ａ）に示すように、球止め用リブ５６２は遊技盤３０に対してほぼ垂直に起立して設けられている。従って、球止め用リブ５６２は、遊技球発射装置から発射された遊技球を制して遊技領域左側へと案内する。故に、球止め用リブ５６２より左側から拡張板部５５３上へは遊技球が侵入しないようになっている。
      【００８８】
　遊技領域の上部から右部にかけて、拡張板部５５３の右上曲辺がレールユニット５０から少しだけ離れた位置に沿って配置されている。その右上曲辺から略遊技球幅だけ遊技領域中央側へ平行にずらした位置には、球案内用リブ５６３が設けられている。球案内用リブ５６３は、球止め用リブ５６２と同様に、遊技盤３０に対してほぼ垂直に起立して設けられている。故に、球案内用リブ５６３の右上側から、球案内用リブ５６３より遊技領域中央側の拡張板部５５３上へは遊技球が侵入しないようになっている。球案内用リブ５６３の上端部と球止め用リブ５６２の上端部とは連続して設けられている。その結果、拡張板部５５３上へは、遊技球が左側からも右上側からも侵入しないようになっている。図８（ｂ）に示すように、球案内用リブ５６３はレールユニット５０から略遊技球幅より少し大きくした幅を隔てた位置に配置されており、その球案内用リブ５６３とレールユニット５０とが対応する部分により、遊技球が一列でのみ通れる通路幅となった球案内通路５６４が形成されている。球案内通路５６４は、遊技領域周囲の上部から右部にかけて形成されており、その上部側を入口側、右部側を出口側として形成されている。より詳細には、球案内用リブ５６３の外周面とレールユニット５０の内周面とで球案内通路５６４の通路幅が画定されている。そして、球案内通路５６４が形成されていることで、拡張板部５５３が遊技領域の右側上方に配置されているにも関わらず、遊技領域の右側下部へ遊技球を落下させることが可能となっている。球案内通路５６４出口の直下には、装飾ランプ５５０が配設されている。図８（ｃ）に示すように、装飾ランプ５５０は遊技盤面から前方へ突出するように形成されている。球案内通路５６４を落下する遊技球は、球案内通路５６４出口から放出されると装飾ランプ５５０上面に衝突する。装飾ランプ５５０の上面は、遊技領域中央側に下り傾斜となるように形成されており、装飾ランプ５５０上面に落下した遊技球は遊技領域中央側へ移動するように構成されている。球案内通路５６４には、減速部５６５が設けられている。そこで、減速部５６５の詳細について図７に基づき説明する。
      【００８９】
　減速部５６５は、球案内通路５６４のおよそ中央位置から出口付近にかけての通路後半部側に設けられている。その通路後半部側は、球案内通路５６４のうち、遊技領域に対して上下に延びる箇所にあたる。減速部５６５は、レールユニット５０及びセンターフレーム４３の一部にそれぞれ凹凸部を設けることにより構成されている。レールユニット５０の外レール部５２右側端部には、段差部５６６が形成されている。その段差部５６６には緩衝部材としての返しゴム５５が取り付けられており、球案内通路５６４に案内された遊技球が返しゴム５５に衝突して、センターフレーム４３の球案内用リブ５６３側へ跳ね返されるようになっている。段差部５６６の下方、すなわち、内レール部５１の右側上部には、複数の凸部５６７ａ，５６７ｂが上下に並ぶように形成されている。凸部５６７ａ，５６７ｂは、遊技領域の中央方向へ円弧状に形成されている。そのため、球案内通路５６４に落下してきた遊技球が凸部５６７ａ，５６７ｂに衝突して、センターフレーム４３の球案内用リブ５６３側へ跳ね返されるようになっている。
      【００９０】
　球案内用リブ５６３には、複数の凹部５６９ａ，５６９ｂ，５６９ｃが上下に並ぶように形成されている。凹部５６９ａ，５６９ｂ，５６９ｃは、遊技領域の中央方向へ円弧状に形成されている。そのため、球案内通路５６４に落下してきた遊技球が凹部５６９ａ，５６９ｂ，５６９ｃに衝突して、レールユニット５０側に跳ね返されるようになっている。凹部５６９ａ，５６９ｂ，５６９ｃは、レールユニット５０の段差部５６６及び凸部５６７ａ，５６７ｂに対応するように形成されている。段差部５６６には凹部５６９ａが対応しており、凸部５６７ａには凹部５６９ｂが対応しており、凸部５６７ｂには凹部５６９ｃが対応して形成されている。そのため、球案内通路５６４の減速部５６５が設けられている箇所も、通路幅がおよそ同幅に保たれている。また、球案内通路５６４は、およそ中央位置から出口に至るまでが蛇行した通路となっている。なお、減速部５６５は、特に遊技球から衝撃が加わる部位であるため、遊技球からの衝撃に対抗するべく、減速部５６５付近の拡張板部５５３上には透孔５６１が設けられ、その透孔５６１にネジ等が挿通されている。」
　
５．引用例１記載の発明の認定
　上記ア．−エ．の記載を整理すると、引用例１には、
　「遊技領域の上部から右部にかけて設けられ、レールユニット５０から少しだけ離れた位置に沿って配置された右上曲辺と、前記右上曲辺から略遊技球幅だけ遊技領域中央側へ平行にずらして設けられた球案内用リブ５６３とを有する拡張板部５５３と、
　遊技領域周囲の上部から右部にかけて形成され、前記球案内用リブ５６３とレールユニット５０とが対応する部分により、遊技球が一列でのみ通れる通路幅を形成し、右部側を出口側として遊技領域の右側下部へ遊技球を落下させることを可能とした球案内通路５６４と、
　遊技領域上部のやや右寄りの位置から、フレーム部５５１の上面からやや左寄りの位置には拡張板部５５３の左辺が配置されており、その左辺の上端部から略遊技球幅下がった位置から同左辺の下端部にかけて、遊技球発射装置から発射された遊技球を制して遊技領域左側へと案内する球止め用リブ５６２と、
　前記フレーム部５５１の上側部は、庇状に前方へ突出するように形成されるとともに、上面が左右方向にそれぞれ下り傾斜となるように形成され、前記上面の中央からやや左寄りの位置に設けられたワープ球導入口５５４と、
　可変表示ユニット３５が遊技盤３０の略中央に配置され、その下方に作動口３３が配置され、さらにその下方には、大当たりの際に遊技球が入賞しやすい所定の開放状態に切り換えられ、所定時間の経過又は所定個数の入賞を１ラウンドとして、複数ラウンドを上限として可変入賞装置３２が繰り返し開放される可変入賞装置と、
  遊技球の落下方向を適宜分散、調整等するために遊技盤３０に多数植設された釘と、を備えたパチンコ遊技機の遊技盤」なる発明（以下、「引用発明」という。）が開示されていると認めることができる。
　
６．本願補正発明と引用発明の一致点及び相違点の認定
　引用発明における「遊技球」は、本願補正発明における「球」に相当する。
　次に引用発明の「拡張板部５５３」に関して、図４−７も参照して検討する。
　拡張板部５５３の外縁部の最上部から右下方向に設けられた球案内用リブ５６３は、遊技領域の左右方向中心よりも右側に設けられ、遊技領域内に打ち出された球を遊技盤の下部に誘導しているから、本願補正発明の右側面に相当する部位を有している。
　拡張板部５５３に設けられた球止め用リブ５６２は、球案内用リブ５６３の始端部、つまり本願補正発明の右側面の端部から技領域の左右方向中心を超えて左側に行くに従って下降しているから、本願補正発明の誘導面に相当する部位を有している。
　さらに、球止め用リブ５６２の下端部に接続されるフレーム部５５１の上面は、最上部を過ぎて左側に傾斜している部分であるから、本願補正発明の傾斜面に相当する部位を有している。
  以上のことより、引用発明と本願補正発明とは、
　＜一致点＞
　「遊技領域の左右方向中心よりも右側に設けられ、遊技領域内に打ち出された球を遊技盤の下部に誘導する右側面と、
　前記右側面の端部から遊技領域の左右方向中心を超えて左側に行くに従って下降する誘導面と、
　前記誘導面の下端部から左側に降下する傾斜面と、
　を備えたパチンコ遊技機の遊技盤」
　である点で一致し、以下の点で相違している。
　
　  ＜相違点１＞
　傾斜面に設けられた入球部に関して、本願補正発明では「入賞することで賞球が行われる入賞口及び当該入賞口を大当り遊技において所定回数または所定時間開閉する開閉体を有し、遊技領域の上部に位置する可変入賞部品」であるのに対して、引用発明では「ワープ球導入口」であって、入賞しても賞球が行われず、開閉体を有するものでもない点。
　  ＜相違点２＞
　釘に関して、本願補正発明では植設される場所、植設される態様、球に与える作用が異なる複数の釘が存在しているのに対して、引用発明では「遊技球の落下方向を適宜分散、調整等する」こと、及び「多数植設され」ていることは記載されているものの、本願補正発明のように具体的でない点。
　
７．相違点の判断
　＜相違点１＞について
　ここでは「入賞することで賞球が行われる入賞口を有する可変入賞部品」と、「入賞口を大当り遊技において所定回数または所定時間開閉する開閉体を有し、遊技領域の上部に位置する可変入賞部品」とすることに分けて検討する。
　まず、前者については、パチンコ遊技機の技術分野において、「入賞することで賞球が行われる入賞口」も「入賞しても賞球が行われないワープ球導入口」も周知の入球部(以下「周知技術１」という。)である。
　そして、遊技球が入球した場合、遊技者に対して何らかの利益や特典を付与することは通常行われているところであるが、どのような利益や特典を付与するかは、取り決めにすぎず、どのような形態の入球部を設けるかによってパチンコ遊技機の遊技性はたしかに変化するが、例えば本願補正発明のように「入賞することで賞球が行われる入賞口」を採用したとしても、「入賞することで賞球が行われる入賞口」が本来持っている効果以上の効果は何ら生じていないから、傾斜面に入球部を設けるにあたり、引用発明の「入賞しても賞球が行われないワープ球導入口」に代えて「入賞することで賞球が行われる入賞口」を設けることは、当業者が容易になし得たことであるし、「入賞することで賞球が行われる入賞口」を設けることに何らの技術的困難性もない。
　次に後者について検討する。
　そもそも「大当り遊技において所定回数または所定時間開閉する開閉体を有する可変入賞部品」は、パチンコ遊技機の技術分野において周知(以下「周知技術２」という。)であり、引用発明の「可変入賞装置３２」は、本願補正発明の「開閉体」に相当する構成を備えているかどうかの明記はないが、大当たりの際に遊技球が入賞しやすい所定の開放状態に切り換えられるものであるから、「開閉体」に相当する構成を備えていることは当業者にとって自明である。
　さらに、引用発明の「可変入賞装置３２」は、本願補正発明の可変入賞部品と同じく
所定時間の経過又は所定個数の入賞を１ラウンドとして、複数ラウンドを上限として繰り返し開放されるものである。
　また、本願補正発明のような開閉体を備えた可変入賞部品を、遊技領域の上部に設置する点に関しては、特開２００１−７０５２８号公報(特に【図２】参照。)、実用新案登録第３１０３９０５号公報(特に【図１】参照。)にあるように、パチンコ遊技機の技術分野において周知技術(以下「周知技術３」という。)である。
　そして、引用発明の「ワープ球導入口」に代えて、引用発明にも備えられている周知の「可変入賞装置」を設け、結果的に「可変入賞装置」を遊技領域の上部に位置するように構成することに、何らの技術的困難性もなく、そのことによって格別の作用効果が生じたものでもないから、「入賞口を大当り遊技において所定回数または所定時間開閉する開閉体を有し、遊技領域の上部に位置する可変入賞部品」とすることは、当業者が容易になし得たことである。
　以上のとおり、引用発明に周知技術を用いて、相違点１に係る本願補正発明の構成することは、当業者が容易になし得たことである。
　
　＜相違点２＞について
　原査定の拒絶の理由において引用文献として引用された特開２００３−１３５７０５号公報(以下、「引用例２」という。)には、以下の記載がある。
・遊技領域の左側から右側に行くに従って降下して第１始動入賞装置３に球を誘導する誘導面を形成する連釘である、第１連釘１３。
・遊技領域の右側から左側に行くに従って降下して第１始動入賞装置３に球を誘導する誘導面を形成する連釘である、第２連釘１４。
・第１始動入賞装置３と最も接近し、第１連釘、及び、第２連釘よりも下方、かつ、前記第１始動入賞装置３よりも上方に位置し、さらに第１連釘１３による誘導面と第２連釘１４による誘導面の間に位置する(右側の)命釘１２。
　なお、上記記載は、引用例２の【図１】において、左側の第１始動入賞装置３を基準として、その上部に植設された釘に関する記載である。
　引用例２の第１始動入賞装置３を、入賞口を有する部品として本願補正発明の可変入賞部品に相当させると、
　引用例２の第１連釘１３は、本願補正発明の遊技領域の左側から右側に行くに従って降下して前記可変入賞部品に球を誘導する誘導面を形成する連釘に、
　引用例２の第２連釘１４は、本願補正発明の遊技領域の右側から左側に行くに従って降下して前記可変入賞部品に球を誘導する誘導面を形成する連釘に、それぞれ相当させることができる。
　また、命釘とは、「チャッカーやセーフ穴に一番近いところに打たれている、入賞率を大きく左右する釘」として周知の釘であり、調整が行われる対象であることも広く認識されている釘である。
　そして、引用例２においても「本発明は第１・第２・第３始動入賞装置毎に釘調整のし易いパチンコ機を提供するものである。(段落【０００４】)」と記載されているように、釘を調整することを前提としたパチンコ遊技機であるから、命釘１２は調整対象であることは自明であり、連釘１３及び１４との位置関係から、本願補正発明の調整釘に相当する。
　つまり、引用例２には、遊技盤面上の位置及び釘が遊技球を誘導する対象の入賞装置は本願補正発明と異なるものの、釘と入賞装置との関係においては本願補正発明と同じものが記載されている。
  また、引用例１においても「遊技球の落下方向を適宜分散、調整等するために遊技盤３０に多数植設された釘」が、引用例１の【図４】に多数描画された「小さい丸」として存在していることは自明であり、その釘がワープ球導入口５５４に対する誘導面を形成していることも自明である。
　そして、引用発明に、引用例２に記載された命釘１２、連釘１３及び１４を用いることに何ら技術的困難性はなく、相違点２に係る本願補正発明の構成することは、当業者が容易になし得たことである。
　以上のように、本願補正発明は、引用発明と引用例２に記載された発明及び周知技術１ないし３に基づいて当業者が容易に発明をすることができたものである。
　したがって、本願補正発明は、特許法第２９条第２項の規定により、その特許出願の際に独立して特許を受けることができない。
　
８．本願補正発明についてのまとめ
　本件補正は、平成１８年法律第５５号改正附則第３条第１項によりなお従前の例によるとされる同法による改正前の特許法第１７条の２第５項において準用する同法第１２６条第５項の規定に違反するものであるから、特許法第１５９条第１項の規定において読み替えて準用する同法第５３条第１項の規定により却下すべきものである。
　
９．本願発明について
      (１)本願発明及び引用文献に記載された発明
　平成２３年７月１４日付けの手続補正は上記のとおり却下されたので、本願の請求項に係る発明は、平成２２年１２月６日付け手続補正により補正された特許請求の範囲に記載されたとおりのものである。
　そして、その請求項１により特定される発明は次のとおりである。
　「【請求項１】
　遊技領域の左右方向中心よりも右側に設けられ、遊技領域内に打ち出された球を遊技盤の下部に誘導する右側面と、
　前記右側面の端部から遊技領域の左右方向中心を超えて左側に行くに従って下降する誘導面と、
　前記誘導面の下端部から左側に降下する傾斜面と、
　前記傾斜面に設けられた入賞口と当該入賞口を開閉する開閉体を有し、遊技領域の上部に位置する可変入賞部品とを備えたパチンコ遊技機の遊技盤であって、
　前記傾斜面の上方において前記遊技領域の左側から右側に行くに従って降下して前記可変入賞部品に球を誘導する誘導面を形成する連釘と、
　前記傾斜面の上方において前記遊技領域の右側から左側に行くに従って降下して前記可変入賞部品に球を誘導する誘導面を形成する連釘と、
　前記傾斜面と最も接近し、前記遊技領域の左側から右側に行くに従って降下する誘導面、及び、右側から左側に行くに従って降下する誘導面よりも下方、かつ、前記傾斜面よりも上方に位置する調整釘が、
　前記遊技領域の左側から右側に行くに従って降下する誘導面と右側から左側に行くに従って降下する誘導面との間に位置し、
　前記遊技領域の左側から右側に行くに従って降下する誘導面及び右側から左側に行くに従って降下する誘導面により誘導される球を前記可変入賞部品の側と反対側とのいずれかに振り分けることを特徴とするパチンコ遊技機の遊技盤。」　(この発明を「本願発明」という。)
　一方、原査定の拒絶の理由に引用された特開２００５−５４２号公報(引用例１)、特開２００３−１３５７０５号公報(引用例２)に記載された発明及び周知技術１ないし３は、前記したとおりである。
　
１０．対比・判断
　本願発明は 前記３．で検討した本願補正発明の「入賞することで賞球が行われる入賞口」と「大当り遊技において所定回数または所定時間開閉する開閉体」から、前者においては入賞口の機能が、後者においては開閉体の動作の態様が削除されたものである。
　そうすると、本願発明の構成要件をすべて含む本願補正発明が、前記７．に記載したとおり、引用発明と引用例２に記載された発明及び周知技術１ないし３に基づいて当業者が容易に発明をすることができたものであるから、本願発明も、同様の理由により、当業者が容易に発明をすることができたものである。
　
１１．むすび
　以上のとおり、本願発明は、引用発明と引用例２に記載された発明及び周知技術１ないし３に基づいて当業者が容易に発明をすることができたものであり、特許法第２９条第２項の規定により特許を受けることができない。
　したがって、本願は、他の請求項について検討するまでもなく、拒絶されるべきものである。
　よって、結論のとおり審決する。